(57)【要約】  【課題】  目的のコンテンツが容易に見つけられるとともに、ポータル設計時のコンテンツ選択も容易であり、更に、コンテンツ毎に様々な設定をきめ細かく行うことができるようなポータルサイト提供システムを提供する。  【解決手段】  ブラウザ１７上に表示される個人ポータル１８に、タブ１８１で切り替え可能な複数のページ１８２を設け、各ページ１８２に、複数のコンテンツ表示コンポーネント１８５を配置する。各コンポーネント１８５には異なるコンテンツを設定できる。特定の属性の値が同一である複数のコンテンツを特定のページ１８２に一覧表示したり、特定のコンポーネント１８５に順次表示することもできる。コンテンツのリフレッシュレート等の表示制御パラメータはコンポーネント１８５毎に設定できる。【選択図】  図１
2006185286.tif 000002
【特許請求の範囲】
【請求項１】
多数のコンテンツの中から所望のコンテンツを選択して自分専用のポータルサイトを構築することができるサービスをユーザに提供するポータルサイト提供システムにおいて、ユーザ端末上で動作するクライアントからネットワーク経由で送信されてくる要求に応じた処理を実行するサーバを備え、該サーバは、
多数のユーザの属性情報を保存したユーザデータベース、
前記クライアント上で互いに独立に動作する複数の出力コンポーネントが所定パターンで配置された情報出力領域を有する個人用ポータルサイトを構成するためのポータル設計情報をユーザ毎に保存した設計データベース、
前記出力コンポーネントへの出力用として登録された多数のコンテンツの属性情報を保存したコンテンツデータベース、
ユーザの端末上で動作するクライアントから所定の要求を受けた時に、該ユーザに対応するポータル設計情報を前記クライアントに送信する設計情報送信部、
前記クライアント上で動作する出力コンポーネントから所定の要求を受けた時に、該出力コンポーネントに対応するコンテンツを該出力コンポーネントに送信するコンテンツ送信部、及び、
各出力コンポーネントに出力すべきコンテンツを、該出力コンポーネントに対応するユーザの属性及び各コンテンツの属性に基づいて選択するコンテンツ選択部
を備えることを特徴とするポータルサイト提供システム。
【請求項２】
前記個人用ポータルサイトは切り替え可能な複数のページを有し、各ページに前記出力コンポーネントが配置されることを特徴とする請求項１に記載のポータルサイト提供システム。
【請求項３】
前記コンテンツ送信部は、ユーザにより指定された特定のページに配置された複数の出力コンポーネントに、所定の属性の値が同一である複数のコンテンツを送信することにより、前記ページに前記複数のコンテンツを同時出力することを特徴とする請求項２に記載のポータルサイト提供システム。
【請求項４】
前記コンテンツ送信部は、ユーザにより指定された特定の出力コンポーネントに、所定の属性の値が同一である複数のコンテンツを所定の時間スケジュールで順次送信することを特徴とする請求項１〜３のいずれかに記載のポータルサイト提供システム。
【請求項５】
前記コンテンツ送信部は、特定のコンテンツを前記出力コンポーネントに送信するに際し、該出力コンポーネントによる前記コンテンツの出力回数が所定値である場合に該コンテンツの内容を変更することを特徴とする請求項１〜４のいずれかに記載のポータルサイト提供システム。
【発明の詳細な説明】
【技術分野】
【０００１】
本発明は、ポータルサイト提供システムに関する。
【背景技術】
【０００２】
いわゆるポータルサイト提供システムは、インターネット等のネットワーク上に存在する膨大な情報の中から所望の情報を効率よく利用できるようにするための様々な機能やサービス（リンク集、ディレクトリサービス、検索機能等）をユーザに提供するものである。最近では、ユーザが多数のポータル用コンテンツの中から所望のコンテンツを選択して自分専用のポータルサイト（以下、「個人ポータル」と呼ぶ）を構築することが可能なポータルサイト提供システムが多数登場してきている（例えば、非特許文献１、非特許文献２を参照）。
【０００３】
個人ポータルでは、ユーザ自身が所望のコンテンツを選択できるため、当然、一般のポータルを利用する場合よりも効率よく目的のコンテンツに到達できるわけであるが、それでも、コンテンツの数が多くなれば、ページ内に掲載される情報量は相当なものになる。特に、従来のポータルサイト提供システムは主に文字情報でページが構成されるため、多数のコンテンツがあると、目的のコンテンツ（例えば、未読コンテンツ）を探し出すのに少なからぬ手間がかかってしまう。
【０００４】
ポータルサイト提供システムに関する一般的な課題として、利用可能なコンテンツの充実が挙げられる。一方で、コンテンツの数が多くなると、ユーザが目的や好みに合ったコンテンツを見つけ出すのに時間がかかるようになり、特に初心者のユーザの場合、ポータル設計意欲が削がれることにもなりかねない。
【０００５】
ところで、インターネットでは多種多様なコンテンツが公開されているが、その中には、極めて短い時間間隔で更新したいものもあれば（例：株価の推移）、数時間間隔で十分なものもある（例：天気）。ところが、従来のポータルサイト提供システムには、個人ポータル全体の表示を一定時間間隔で更新（リフレッシュ）することができるものは存在するものの、コンテンツ毎に細かい更新設定ができるものは知られていない。
【０００６】
情報ソース毎にリフレッシュレートを設定可能な公知のシステムとして特許文献１に記載のものがある。しかし、同システムは、基本的にユーザのコンピュータ上に構築されるデスクトップシステムであり、多数のユーザにポータルサイトサービスを提供するものではない。
【０００７】
【特許文献１】特表2003-513350号公報（請求項１）
【非特許文献１】「My Yahoo!」,[online],[平成16年12月20日検索],インターネット<URL:http://my.yahoo.co.jp>
【非特許文献１】「マイニフティ」,[online],[平成16年12月20日検索],インターネット<URL:https://enter.nifty.com/my/>
【発明の開示】
【発明が解決しようとする課題】
【０００８】
本発明は以上のような課題を解決するために成されたものであり、その目的は、多数のコンテンツを選択しても目的のコンテンツが容易に見つけられるとともに、ポータル設計時のコンテンツ選択も容易であり、更に、コンテンツ毎に様々な設定をきめ細かく行うことができるようなポータルサイト提供システムを提供することにある。
【課題を解決するための手段】
【０００９】
上記課題を解決するために成された本発明は、
多数のコンテンツの中から所望のコンテンツを選択して自分専用のポータルサイトを構築することができるサービスをユーザに提供するポータルサイト提供システムにおいて、ユーザ端末上で動作するクライアントからネットワーク経由で送信されてくる要求に応じた処理を実行するサーバを備え、該サーバは、
多数のユーザの属性情報を保存したユーザデータベース、
前記クライアント上で互いに独立に動作する複数の出力コンポーネントが所定パターンで配置された情報出力領域を有する個人用ポータルサイトを構成するためのポータル設計情報をユーザ毎に保存した設計データベース、
前記出力コンポーネントへの出力用として登録された多数のコンテンツの属性情報を保存したコンテンツデータベース、
ユーザの端末上で動作するクライアントから所定の要求を受けた時に、該ユーザに対応するポータル設計情報を前記クライアントに送信する設計情報送信部、
前記クライアント上で動作する出力コンポーネントから所定の要求を受けた時に、該出力コンポーネントに対応するコンテンツを該出力コンポーネントに送信するコンテンツ送信部、及び、
各出力コンポーネントに出力すべきコンテンツを、該出力コンポーネントに対応するユーザの属性及び各コンテンツの属性に基づいて選択するコンテンツ選択部
を備えることを特徴としている。
【００１０】
本発明において、サーバは、例えばインターネットを通じて他の端末上のＷｅｂブラウザから送信されてくる各種要求に応じた処理を実行するＷｅｂサーバや、該Ｗｅｂサーバと連携するデータベースサーバを含む構成とすることができる。この場合、Ｗｅｂブラウザが本発明のクライアントに相当することになる。
【００１１】
出力コンポーネントとは、クライアント上で視覚情報の表示や音声の再生を行うコンポーネントのことをいう。例えば、クライアントとしてＷｅｂブラウザを用いる場合、出力コンポーネントは、Ｗｅｂブラウザのプラグインを利用して構成することができる。
【００１２】
情報出力領域とは、コンピュータの画面上におけるクライアントの表示領域（ウィンドウ）内に定義された視覚的な情報出力領域のことをいう。例えば、Ｗｅｂページ全体又はその内部に定義された出力領域がこれに該当する。
【００１３】
ポータル設計情報とは、クライアントがその表示領域内に情報出力領域を生成するために必要な一切の情報のことをいう。例えば、ＨＴＭＬ文書、画像、アプレット、スクリプト等のファイルがこれに該当する。また、アプレットやスクリプトの動作（例えば、リフレッシュレート）を制御するためのパラメータや変数等もポータル設計情報に含まれる。
【００１４】
本発明に係るシステムにおいて、ユーザの端末上で動作するクライアントから所定の要求がサーバに送信されると、サーバの設計情報送信部が該ユーザに対応するポータル設計情報を前記クライアントに送信する。ポータル設計情報を受け取ったクライアントは、その情報を用いて、複数の出力コンポーネントが所定パターン（例えばマトリックス状）で配置された情報出力領域を有する個人用ポータルページを画面上に生成する。前記複数の出力コンポーネントはそれぞれ、自身が出力すべきコンテンツの取得要求をサーバに送信する。この要求を受けたサーバ側では、その出力コンポーネントに対応するコンテンツを該コンポーネントに送信する。
【００１５】
以上に加え、本発明に係るシステムは、各出力コンポーネントに出力すべきコンテンツの候補を、該出力コンポーネントに対応するユーザの属性及び各コンテンツの属性に基づいて選択するコンテンツ選択部を備えている。コンテンツ選択部は、個人用ポータルページの設計段階や、クライアント上でのコンテンツの出力段階において、ユーザに適したコンテンツを自動的に選択する。
【００１６】
本発明の一態様においては、前記個人用ポータルサイトが切り替え可能な複数のページを有し、各ページに前記出力コンポーネントが配置される。更に、この態様では、ユーザにより指定された特定のページに配置された複数の出力コンポーネントに、所定の属性の値が同一である複数のコンテンツを送信することにより、前記ページに前記複数のコンテンツを同時出力することも可能である。これにより、例えば、特定のカテゴリに属するコンテンツを一覧表示するページや、未読コンテンツを一覧表示するページを構成することが可能になる。
【００１７】
本発明の別の態様においては、前記コンテンツ送信部が、ユーザにより指定された特定の出力コンポーネントに、所定の属性の値が同一である複数のコンテンツを所定の時間スケジュールで順次送信する。これにより、例えば、同じ出力コンポーネントに複数のニュースコンテンツを順次表示させたり、未読状態のコンテンツを順次表示させたりすることが可能になる。
【００１８】
本発明の更に別の態様においては、前記コンテンツ送信部は、特定のコンテンツを前記出力コンポーネントに送信するに際し、該出力コンポーネントによる前記コンテンツの出力回数が所定値である場合に該コンテンツの内容を変更する。この態様では、例えば以下のような表示変更（あるいは表示制御）が可能になる。
・コンテンツの通算出力回数が所定回数に達したら懸賞サイトへのリンクを表示。
・コンテンツを１０回出力する度にリクエスト曲を再生。
・コンテンツの通算出力回数が１０１〜１１０回の間だけ別のコンテンツを表示。
・有料コンテンツの通算出力回数が所定回数に達したら配信終了メッセージを表示。
【発明の効果】
【００１９】
以上のように、本発明に係るポータルサイト提供システムは、複数の出力コンポーネントをクライアント上で動作させるとともに、それらを個別に制御することができるため、コンテンツに応じたきめ細かい出力制御が可能である。また、ユーザの属性とコンテンツの属性を考慮して自動的にコンテンツを選択する仕組みを設けたため、ユーザに適したコンテンツを含む個人ポータルを簡単に構築することができる。
【発明を実施するための最良の形態】
【００２０】
図１に本発明の一実施形態であるポータルサイト提供システムの概略構成を示す。本実施形態のポータルサイト提供システム１（以下、「本システム１」と呼ぶ）は、インターネット１０に接続されたコンピュータであるポータルサーバ１２（以下、「サーバ１２」と呼ぶ）を備えている。サーバ１２は、同じくインターネット１０に接続されたコンピュータであるコンテンツ提供者端末１４及びユーザ端末１６から各種要求を受け取り、その要求に応じた処理を実行する。なお、図１ではコンテンツ提供者端末１４及びユーザ端末１６をそれぞれ１台だけ描いているが、実際にはいずれの端末も複数台ずつインターネット１０に接続される。
【００２１】
サーバ１２は、所定のプログラムを実行することよりソフトウェア的に構成された機能部であるＷｅｂサーバ２０、データベースサーバ２２（以下、「ＤＢサーバ２２」と呼ぶ）、コンテンツ提供者登録受付部２４、コンテンツ登録受付部２６、コンテンツ設定支援部２８、ユーザ登録受付部３０、ポータル設計支援部３２及びコンテンツ変換部３４を備えている。また、サーバ１２は、ハードディスクや半導体メモリ等で構成されたデータ記憶部４０を備えている。
【００２２】
データ記憶部４０には、本システム１を利用するためのＷｅｂサイト４２が作成されている。Ｗｅｂサイト４２は、ＨＴＭＬ文書、画像、スクリプト、アプレット、ＣＧＩプログラム等のファイルから構成される。Ｗｅｂサーバ２０は、ユーザ端末１２からの要求に応じて、ＨＴＭＬ文書や画像ファイル、あるいは、スクリプトやＣＧＩプログラムの実行結果を含むデータを端末に送信する。
【００２３】
また、データ記憶部４０には、本システム１に必要な各種データを保存するための各種データベースが構築されている。各データベースの概要は以下の通りである（図２参照）。
【００２４】
コンテンツ提供者ＤＢ（５０）：  コンテンツ提供者ＩＤ、コンテンツ提供者名、業種、連絡先、担当者名、ログインパスワード等、本システム１のコンテンツ提供者に関する情報を保存したデータベース。
コンテンツＤＢ（５２）：  コンテンツＩＤ、コンテンツ提供者ＩＤ、コンテンツ種別、コンテンツの場所、アイコンの場所、更新日時、コンテンツ設定データ等、本システム１に登録されたコンテンツに関する情報を保存したデータベース。「コンテンツ種別」には、コンテンツの種別を示す値（例えばＭＩＭＥタイプ）が格納される。コンテンツの本体（通常、ファイル）は、予めサーバ１２の所定の場所にアップロードしておく。この場合、「コンテンツの場所」には、サーバ１２上に保存されたコンテンツファイルへのパスが書き込まれる。あるいは、コンテンツ提供者が独自に運営するサーバ上に予め用意しておいたコンテンツを利用することも可能である。この場合、「コンテンツの場所」には、該当コンテンツのＵＲＬが書き込まれる。「アイコン」及び「コンテンツ設定データ」については後述する。
ユーザＤＢ（５４）：  ユーザＩＤ、ハンドル名、電子メールアドレス、ユーザ属性、ログインパスワード等、本システム１でポータルサービスを利用するユーザに関する情報を保存したデータベース。「ユーザ属性」の項目としては、氏名、性別、住所、生年月日、血液型、職業、趣味、資格等がある。
ポータル設計ＤＢ（５６）：  ポータルＩＤ、ユーザＩＤ、ページＩＤのリスト等、個人ポータルの全体設計データをユーザ毎に保存したデータベース。「ページＩＤのリスト」には、該当する個人ポータルに含まれる一又は複数のページのＩＤが、個人ポータル内における表示順に保持される。また、個人ポータルのうち、ページに依存せず常に表示される共通部分の設定データがあれば、そのデータもこのデータベースに保存される。
ページ設計ＤＢ（５８）：  ページＩＤ、対応するユーザＩＤ、コマの配列、コマのサイズ、配色、ユニットＩＤのリスト等、ポータルを構成する各ページの設計データを保存したデータベース。「コマ」とは、個人ポータルのページ内に配置される矩形状のコンテンツ表示コンポーネントであって、Ｗｅｂブラウザ（以下、「ブラウザ」と呼ぶ）上におけるユニットの視覚的表現に相当する。「ユニットＩＤのリスト」には、該当ページに含まれる一又は複数のユニットのＩＤが、ページ内での表示順に保持される。
ユニット設計ＤＢ（６０）：  ユニットＩＤ、コンテンツＩＤ、外部コンテンツＵＲＬ、リフレッシュレート、未読／既読フラグ、コンテンツグループ設定、スケジュール設定等、各ユニットに関する情報を保存したデータベース。このデータベースに保存される情報の詳細については後述する。
コンテンツ表示履歴ＤＢ（６２）：  履歴ＩＤ、表示日時、コンテンツＩＤ、ユニットＩＤ等、コンテンツの表示履歴に関する情報を保存したデータベース。
コンテンツ紹介ＤＢ（６４）：  紹介ＩＤ、紹介日時、紹介元ユーザＩＤ、紹介先ユーザＩＤ、紹介コンテンツのＩＤ等、ユーザ間でのコンテンツ紹介履歴を保存したデータベース。なお、コンテンツ紹介の詳細については後述する。
投票ＤＢ（６６）：  投票ＩＤ、対象コンテンツのＩＤ、投票ユーザのＩＤ、投票データ等、コンテンツ投票に関する情報を保存したデータベース。コンテンツ投票の詳細については後述する。
【００２５】
一方、ユーザ端末１６にはブラウザ１７が搭載されており、これを用いて本システム１にログインすると、Ｗｅｂサーバ２０が、Ｗｅｂサイト４２に保存されたスクリプトやＣＧＩプログラムを実行することにより前記ユーザ専用のポータルページ、すなわち個人ポータル１８を生成するためのコンテンツデータをブラウザ１７に送信する。前記コンテンツデータには、ＨＴＭＬ文書、画像等の他にアプレットが含まれており、このアプレットをブラウザ１７に組み込まれた仮想マシン上で実行することにより、個人ポータル１８が生成される。個人ポータル１８には、タブ１８１で切り替え可能な複数のページ１８２を有する。各ページ１８２にはタイトルバー１８３及びコンテンツ領域１８４を備えるコマ１８５がマトリックス状に配置されている。その他、個人ポータル１８の詳細な構成及び設計手順については後述する。
【００２６】
次に、本システム１の動作について説明する。まず、コンテンツ提供者の作業に関連する動作について説明する。
【００２７】
（コンテンツ提供者登録）
本システム１のコンテンツ提供者となることを希望する者は、以下のような手順でコンテンツ提供者登録を行う。まず、コンテンツ提供者端末１４のブラウザ（図示せず）でコンテンツ提供者登録ページのＵＲＬを指定してアクセス要求を送信する。この要求を受けて、コンテンツ提供者登録受付部２４が、Ｗｅｂサイト４２のデータを用いてコンテンツ提供者登録ページを生成し、前記ブラウザに送信する。コンテンツ提供者登録ページ（図示せず）には、登録に必要な情報（氏名又は会社名、連絡先等）を入力するためのフォームが設けられている。このフォームに必要情報を入力して送信操作を実行すると、ブラウザが入力データをコンテンツ提供者登録受付部２４に送信する。入力データを受け取ったコンテンツ提供者登録受付部２４は、ＤＢサーバ２２と連携して新しいコンテンツ提供者ＩＤ及びログインパスワードを発行し、前記データをコンテンツ提供者ＤＢ５０に保存するとともに、前記コンテンツ提供者ＩＤ及びログインパスワードを通知するページをブラウザに送信する。これでコンテンツ提供者登録は完了である。
【００２８】
（コンテンツ登録）
コンテンツ提供者は、コンテンツ提供者ＩＤの取得後、以下のような手順で随時コンテンツを登録することができる。
【００２９】
まず、本システム１側で予め指定されたユニット用コンテンツ仕様に従ってコンテンツやアイコンを製作しておく。前記仕様には、例えば、コンテンツの表示サイズ（幅、高さ）や利用可能なデータ形式（ＨＴＭＬ文書、画像、プラグイン用ファイル、スクリプト、映像、音声等。例えば、ＭＩＭＥタイプで指定）、アイコンのサイズや画像形式等の指定が含まれる。
【００３０】
次に、コンテンツ提供者端末１４のブラウザを用いてコンテンツ登録ページを開く。コンテンツ登録ページの例を図３に示す。このページでは、「ファイルアップロード」又は「ＵＲＬ指定」のいずれかの方法でコンテンツ登録を行う。
【００３１】
「ファイルアップロード」の場合、「コンテンツファイル」欄及び「アイコンファイル」欄に、端末１４上におけるコンテンツファイルへのパス及びアイコン画像ファイルへのパスをそれぞれ入力して「送信」ボタンを押す。この操作を受けて、ブラウザが、コンテンツファイル及びアイコンファイルをコンテンツ登録受付部２６に送信する。ファイルを受け取ったコンテンツ登録受付部２６は、ＤＢサーバ２２と連携して新たなコンテンツＩＤを発行し、受け取ったファイルをデータ記憶部４０に保存するとともに、２つのファイルの保存先をコンテンツＤＢ５２の「コンテンツの場所」及び「アイコンの場所」に書き込む。
【００３２】
「ＵＲＬ指定」の場合、自社サーバ上に用意したコンテンツファイルのＵＲＬ及びアイコンファイルのＵＲＬを「コンテンツのＵＲＬ」欄及び「アイコンのＵＲＬ」欄に、それぞれ入力して「送信」ボタンを押す。この操作を受けて、ブラウザが、入力データをコンテンツ登録受付部２６に送信する。入力データを受け取ったコンテンツ登録受付部２６は、ＤＢサーバ２２と連携して新たなコンテンツＩＤを発行し、コンテンツ及びアイコンのＵＲＬをコンテンツＤＢ５２の「コンテンツの場所」及び「アイコンの場所」に書き込む。
【００３３】
なお、コンテンツＤＢ５２の「コンテンツ種別」については、コンテンツ登録受付部２６がブラウザから受け取ったファイル名又はＵＲＬの拡張子等に基づいて自動的に判別する。
【００３４】
（コンテンツ設定）
コンテンツ提供者は、コンテンツ提供者端末１４のブラウザを用いて登録済みコンテンツの設定を行うことができる。コンテンツ提供者がブラウザでコンテンツ設定ページのＵＲＬを指定してアクセス要求を送信すると、コンテンツ設定支援部２８が、Ｗｅｂサイト４２のデータを用いてコンテンツ設定ページを生成し、前記ブラウザに送信する。
【００３５】
コンテンツ設定ページの例を図４に示す。図４のコンテンツ設定ページでは、コンテンツ提供者が自ら登録した各コンテンツに対して以下のような設定を行うことができる。
カテゴリ設定：  コンテンツのカテゴリを設定することができる。
対象ユーザ属性設定：  コンテンツの主な利用者として想定されるユーザの属性を設定する。ユーザ属性の項目としては、性別、住所、年齢、血液型、職業、趣味、資格等が挙げられる。
表示回数上限設定：  コンテンツに対して表示回数の上限を設定することができる。この設定は、例えば有料コンテンツの視聴回数を制限したい場合に利用できる。
期間設定：  コンテンツに表示可能期間を設定することができる。
時間設定：  コンテンツに表示可能時間を設定することができる。
【００３６】
以上のようにしてコンテンツ設定を行った後、「送信」ボタンを押すと、ブラウザが、入力データをコンテンツ設定支援部２８に送信する。入力データを受け取ったコンテンツ設定支援部２８は、該当するコンテンツＩＤに対応するコンテンツ設定データとして前記入力データをコンテンツＤＢ５２に保存する。
【００３７】
次に、コンテンツを利用するユーザの作業に関連する本システム１の動作について説明する。
【００３８】
（ユーザ登録）
本システム１が提供するサービスのユーザとなることを希望する者は、以下のような手順でユーザ登録を行う。まず、ユーザ端末１６のブラウザ１７でユーザ登録ページのＵＲＬを指定してアクセス要求を送信する。この要求を受けて、ユーザ登録受付部３０が、Ｗｅｂサイト４２のデータを用いてユーザ登録ページを生成し、ブラウザ１７に送信する。ユーザ登録ページ（図示せず）には、登録に必要な情報を入力するためのフォームが設けられている。登録情報には、氏名、ハンドル名、生年月日、性別、血液型、住所、電子メールアドレス、趣味等を含めることが考えられるが、個人情報保護の観点から、入力必須項目を一部（例えば、ハンドル名、生年、都道府県、電子メールアドレスのみ）に制限するようにしてもよい。フォームに必要情報を入力して送信操作を実行すると、ブラウザ１７が入力データをユーザ登録受付部３０に送信する。入力データを受け取ったユーザ登録受付部３０は、ＤＢサーバ２２と連携して新しいユーザＩＤ及びログインパスワードを発行し、前記データをユーザＤＢ５４に保存するとともに、前記ユーザＩＤ及びログインパスワードを通知するページをブラウザ１７に送信する。これでユーザ登録は完了である。
【００３９】
（個人ポータルの設計）
先に述べたように、ユーザがユーザ端末１６のブラウザ１７を用いて本システム１にログインすると、ブラウザ１７に個人ポータル１８が表示される。この個人ポータル１８の設計について以下に説明する。
【００４０】
先に述べたように、個人ポータル１８は、タブ１８１のクリックで切り替え可能な複数のページ１８２を有する。各ページ１８２には複数のコマ１８５がマトリックス状に配置されている。各コマ１８５は、タイトルバー１８３及びコンテンツ領域１８４を備えており、タイトルバー１８３には「更新」、「投票」及び「紹介」の３個のボタン（図示せず）が配置されている。これらのボタンに割り当てられた機能については後述する。
【００４１】
個人ポータル１８の設計はブラウザ１７を用いて行う。すなわち、ユーザがブラウザ１７を用いてポータル設計ページのＵＲＬを指定してアクセス要求を送信すると、ポータル設計支援部３２が、ポータル設計ページを生成するためのコンテンツデータ（ＨＴＭＬ文書、画像、アプレット等）をブラウザ１７に送信する。
【００４２】
ポータル設計ページの例を図５に示す。図５のポータル設計ページには、コンテンツ一覧セクション７０、ページ設計セクション８０、ユニット設計セクション９０及び共通セクション１００がある。これらの各セクションについて以下に説明する。
【００４３】
コンテンツ一覧セクション７０は、コンテンツを複数のカテゴリに分類した複数のタブ７２を備えており、目的のカテゴリのタブ７２をクリックすると、そのカテゴリに属するコンテンツのアイコン７４が一覧が表示される。この一覧は、左右の矢印マーク７６を押して横方向にスクロールさせることができる。一覧内では、ユーザの属性に最も適合したコンテンツのアイコン７４が優先的に表示される（優先順位は、例えば左から右の方向に順位が下がるものとする）。「おすすめ」タブ７８には、ユーザ属性に応じて自動的に選択されたコンテンツの一覧が表示される。
【００４４】
ページ設計セクション８０では、個人ポータル１８の各ページ１８２に対して以下のような設定を行うことができる。
コマの配列：  マトリックスの行数と列数を設定できる（例：３行×３列）。
コマのサイズ：  コマのサイズを、仕様で定められた標準サイズを基準とした％値で設定することができる（例：100％）。
配色：  ページの背景色とタイトルバーの色を設定することができる。
未読優先表示：  このオプションを有効にすると、ページ内の未読ユニットが既読ユニットよりも優先的に表示されるようになる。優先順位は、例えばマトリックスの上段から下段の方向及び左から右の方向に順位が下がるものとする。
未読のみ表示:  このオプションを有効にすると、ページ１８２内には未読ユニットだけが表示されるようになる。更に「全ページを対象」オプションを有効にすると、全ページの未読ユニットが１ページに表示されるようになる。
【００４５】
ページ設計セクション８０の「タブ追加」ボタン８２を押すと、全てのユニットが未設定になった空白ページが追加される。「リセット」ボタン８４を押すと、表示中のページに含まれる全ユニットの設定が消去され、空白ページに戻る。
【００４６】
ユニット設計セクション９０では、各コマ（すなわちユニット）１８５に対してコンテンツを指定することができる。コンテンツの指定は、ページ設計セクション８０で目的のユニット１８５をクリックして選択した後、以下のような手順で行う。
一覧から選択：  表示したいコンテンツをコンテンツ一覧セクション７０から選択してコマ１８５に設定することができる。これは、例えば、コンテンツ一覧セクション７０に表示されたコンテンツのアイコン７４をユニット設計セクション９０内のコマ１８５にドラッグ・アンド・ドロップで移動する、という操作により実行される。なお、ページ設計セクション８０内の目的のコマ１８５にコンテンツのアイコン７４をドラッグ・アンド・ドロップで移動することにより予めコマ１８５にコンテンツを設定しておくことも可能である。
外部コンテンツ指定：  コンテンツ一覧セクション７０に表示されたコンテンツの代わりに、外部サーバ（図示せず）上のコンテンツを表示コンテンツとして指定することもできる。コンテンツ指定は、テキストボックス９２に該当コンテンツのＵＲＬを入力することにより行われる。一般のＷｅｂページ、ＢＢＳ、チャット、ストリーミング配信される映像や音声、ＩＰ電話等、あらゆる種類のコンテンツが指定可能である。
コンテンツグループ指定：  ドロップダウンリスト９４を用いると、特定の属性の値が同一である複数のコンテンツのグループを１つのコンテンツとして指定することができる。コンテンツグループの例としては、未読コンテンツのグループ、後述のコンテンツ紹介機能により他のユーザから紹介されたコンテンツのグループ、特定カテゴリのコンテンツのグループ（例：ニュース系コンテンツグループ）、アクセスランキング上位にあるコンテンツのグループ、特定のイベントに関連したコンテンツのグループ等、様々なものが考えられる。
【００４７】
更に、各ユニットに対して以下のような設定を行うことができる。
スケジュール設定：  コンテンツグループを指定した場合、日付や時間に応じてコンテンツの内容が切り替わるようにスケジュールを設定することができる。例えば、複数のニュースコンテンツを所定のスケジュールに従って順次切り替えるような設定が可能である。これを更に発展させれば、多数のコンテンツをテレビ放送のように編成することも可能である。
リフレッシュレート：  コンテンツ表示を更新（リフレッシュ）させる時間間隔を設定することができる。
常時表示：  このオプションを有効にすると、ページ１８２の切り替えに関わらず常にユニットが同じ位置に表示されるようになる。このオプションは、例えば株価の推移等、常時監視したいコンテンツに好適である。
【００４８】
以上のようにユニットを設計した後、「ユニット設定完了」ボタン９６を押すと、ページ設計セクション８０内の該当ユニットに設計内容が反映される。
【００４９】
共通セクション１００では、カレンダーの設定、天気表示の対象となる地域の設定及びログイン設定（自動／手動の選択）を行う。カレンダー及び天気表示は、ページ１８２の切り替えに関わらず常に画面上に表示されるコンテンツである。
【００５０】
以上のようにして個人ポータル１８の設計を行い、「全設定完了」ボタン１０２をクリックすると、設定データがブラウザ１７からポータル設計支援部３２に送信される。ポータル設計支援部３２は、ＤＢサーバ２２と連携して、各設定データをポータル設計ＤＢ５６、ページ設計ＤＢ５８及びユニット設計ＤＢ６０の該当フィールドに保存する。
【００５１】
個人ポータル１８のその他の機能を以下に列挙する。
【００５２】
（コンテンツ表示の手動更新）
タイトルバーの「更新」ボタンを押すと、そのユニットのコンテンツ表示が最新の状態に更新される。
【００５３】
（コンテンツ紹介）
タイトルバーの「紹介」ボタンを押すと、宛先一覧を含むウィンドウ（図示せず）が表示される。このウィンドウで宛先を選択して送信操作をすると、その宛先にコンテンツ紹介メッセージがサーバ１２に送信される。このメッセージには、ボタンの押されたコマに対応するコンテンツのＩＤが含まれる。その後、前記宛先のユーザが自分の端末１６のブラウザ１７で自分の個人ポータルにアクセスすると、「Ａさんからおすすめコンテンツの紹介が届いています」といった通知が「メイン」ページの所定箇所に表示される。こうして他のユーザから紹介されたコンテンツは、「おすすめ」タブ１８６をクリックすれば閲覧できる。以上のようなコンテンツ紹介が行われた場合、その履歴がコンテンツ紹介ＤＢ６４に記録される。
【００５４】
（コンテンツ投票）
タイトルバーの「投票」ボタンを押すと、コンテンツ投票に関する説明を含むウィンドウ（図示せず）が表示される。このウィンドウには、例えば、択一式又は複数選択式の投票（例えば、コンテンツに対する評価）と、任意のコメントを入力するためのテキストエリアを備えている。ユーザがいずれかの投票項目を選択し、必要に応じてコメントを入力した後、送信操作を実行すると、該当するコンテンツのＩＤ、選択された項目の値及び入力コメントを含む投票データがサーバ１２に送信され、投票ＤＢ６６に保存される。
【００５５】
サーバ１２のその他の機能を以下に挙げる。
【００５６】
（コンテンツ変換機能）
ユニットのコンテンツとして外部サーバ上にある一般のＷｅｂコンテンツが指定されている場合、コンテンツ変換部３４がそのコンテンツをコマに表示可能なコンテンツに変換してユーザ端末１６のブラウザ１７に送信する。このコンテンツ変換では、例えば、画像の解像度（サイズ）や色数の変換が行われる。変換元のコンテンツは、一般のＷｅｂページ、携帯電話用コンテンツ、ストリーミング配信映像等である。
【００５７】
（データ分析機能）
データベースに収集された各種データを用いてマーケティングに役立つ様々なデータ分析を行い、分析結果をコンテンツ提供者に提供する機能。分析の内容としては、例えば以下のようなものが考えられる。
・個人ポータルの設計内容とユーザ属性との関連性分析
・コンテンツ表示履歴の時系列分析
・投票結果の分析
・ユニット紹介ログの分析（例えば、ユーザの人的ネットワークの形態分析、紹介履歴の時系列分析等）
【００５８】
（ポイント付与機能）
各ユニットによるコンテンツの表示回数に応じてユーザにポイントを付与する機能。ポイントは、例えば有料コンテンツの視聴料金に充当することができる。
【００５９】
以上、本発明の一実施形態について詳細に説明したが、上記実施形態はあくまで一例に過ぎず、上記の他にも、本発明の精神及び範囲内で様々な実施例が考えられる。
【図面の簡単な説明】
【００６０】
【図１】本発明の一実施形態であるポータルサイト提供システムの概略構成図。
【図２】図１のシステムの各データベースの概要。
【図３】コンテンツ登録ページの例。
【図４】コンテンツ設定ページの例。
【図５】ポータル設計ページの例。
【符号の説明】
【００６１】
１…ポータルサイト提供システム
１０…インターネット
１２…ポータルサーバ
２０…Ｗｅｂサーバ
２２…データベースサーバ
２４…コンテンツ提供者登録受付部
２６…コンテンツ登録受付部
２８…コンテンツ設定支援部
３０…ユーザ登録受付部
３２…ポータル設計支援部
３４…コンテンツ変換部
４０…データ記憶部
５０…コンテンツ提供者ＤＢ
５２…コンテンツＤＢ
５４…ユーザＤＢ
５６…ポータル設計ＤＢ
５８…ページ設計ＤＢ
６０…ユニット設計ＤＢ
６２…コンテンツ表示履歴ＤＢ
６４…コンテンツ紹介ＤＢ
６６…投票ＤＢ
１４…コンテンツ提供者端末
１６…ユーザ端末
１７…Ｗｅｂブラウザ
【図１】
2006185286.tif 000003
【図２】
2006185286.tif 000004
【図３】
2006185286.tif 000005
【図４】
2006185286.tif 000006
【図５】
2006185286.tif 000007